(57)【要約】【課題】クリップ片が軸筒の軸心に対して垂直方向に平行移動可能、かつクリップ片を軸心方向に常時付勢する挟持力が発生するクリップ部材を有する筆記具を提供する。【解決手段】クリップ片に足部を別体で付設、あるいは一体に形成することにより、クリップ片と足部とを連動可能とし、該足部を軸筒の側面に形成した貫通孔に、軸筒の軸心に対して垂直方向に平行移動可能に挿入してなるクリップ部材を有する筆記具であって、前記足部内に、該足部の底部と軸筒内壁あるいは軸筒に付設したバネ受け部材との間に弾性体を圧縮した状態で配設することにより生ずる弾性力によって、クリップ片を軸心方向に常時付勢する。【選択図】          図１
2006001150.tif 000002
【特許請求の範囲】
【請求項１】
クリップ片に足部を別体で付設、あるいは一体に形成することにより、クリップ片と足部とを連動可能とし、該足部を軸筒の側面に形成した貫通孔に、軸筒の軸心に対して垂直方向に平行移動可能に挿入してなるクリップ部材を有する筆記具であって、前記足部内に、該足部の底部と軸筒内壁あるいは軸筒に付設したバネ受け部材との間に弾性体を圧縮した状態で配設することにより生ずる弾性力によって、クリップ片を軸心方向に常時付勢することを特徴とする、クリップ部材を有する筆記具。
【請求項２】
前記クリップ部材が、前記クリップ片の側壁及び／又は該クリップ片の側壁に連続する前記足部の側壁に、滑り止め処理を施した把持部を有してなる、請求項１に記載のクリップ部材を有する筆記具。
【請求項３】
前記把持部が、凹部及び／または凸部からなる、請求項２に記載の、クリップ部材を有する筆記具。
【請求項４】
前記把持部が、前記クリップ片の側壁及び／又は該クリップ片の側壁に連続する足部の側壁に装着したクリップ片より摩擦抵抗の高い滑り止め部材であることを特徴とする、請求項１ないし３のいずれか１項に記載の、クリップ部材を有する筆記具。
【請求項５】
前記クリップ片の内壁が、対向する軸筒の外壁に線接触することを特徴とする、請求項１ないし４のいずれか１項に記載の、クリップ部材を有する筆記具。
【請求項６】
前記クリップ片が、クリップ片の前端部と軸筒との間隙を設ける斜面あるいは曲面を形成し、前記クリップ片の先端に挿入口部を設けた、請求項１ないし５のいずれか１項に記載の、クリップ部材を有する筆記具。
【発明の詳細な説明】
【技術分野】
【０００１】
本発明は、クリップ部材を有する筆記具に関し、さらに詳しくは、軸筒の軸心に対して、クリップ片が垂直方向に平行移動可能なクリップ部材を有する筆記具に関する。
【背景技術】
【０００２】
従来から、軸筒の軸心に対してクリップ片が垂直方向に平行移動可能なクリップ部材を有する筆記具は、よく知られている。特開平８−７２４７８号公報「ノック式筆記具」では、コイルバネにより軸後方に付勢されたペン芯を、軸筒の後端側に備えられているノック機構の一連の操作により進退移動させて軸筒先端からペン先を出没させる構造により、クリップ片を軸筒の軸心に対して、垂直方向に平行移動させ、筆記時にクリップ片を軸筒に、その筒表面と略面一に収めることにより、軸筒を掴む掴持状態の制約をなくし、長期の使用によるペン先の片減りを防止するノック式筆記具が開示されている。
【０００３】
また、特開２００２−１６６６９４号公報「出没式筆記具」では、軸筒に対して出没可能なクリップと筆記体ユニットを有し、その筆記体ユニットの出没動作とクリップの出没動作を連動させる構造を有する出没式筆記具において、クリップ片を軸筒の軸心に対して、垂直方向に平行移動させ、クリップ片を軸筒表面と略一面あるいは軸筒内に収めることにより、携帯時の安全性の向上や衣服の汚損を防止する出没式筆記具が開示されている。
【０００４】
ところで、特開２００１−１４６０９４号公報では、軸筒やキャップ等の筒体の表面側に略Ｕ字状挟みバネの一端側を固定し、該挟みバネの他端側を筒体の表面に沿わしめ、クリップにおける筒体との対向面と、筒体におけるクリップとの対向面とで形成される枢支部にクリップを枢支し、かつ前記挟みバネの他端部を前記枢支部よりもクリップの前端側に掛止させ、クリップの前端部が筒体表面に弾圧接するようにクリップを筒体に取付けた構造をもち、クリップ片が常時、軸筒の表面側への力が加わっている、いわゆるバインダー式の小物用クリップ取付装置が開示されている。
【特許文献１】「特開平８−７２４７８号公報」
【特許文献２】「特開２００２−１６６６９４号公報」
【特許文献３】「特開２００１−１４６０９４号公報」
【発明の開示】
【発明が解決しようとする課題】
【０００５】
しかし、特開平８−７２４７８号公報および特開２００２−１６６６９４号公報に記載された、軸筒の軸心に対してクリップ片が垂直方向に平行移動可能なクリップ部材は、クリップ片を軸心方向に常時付勢する挟持力が発生しないため、薄い被挟持物を挟持することが困難であった。
【０００６】
また、特開２００１−１４６０９４号公報に記載されている、いわゆるバインダー式の小物用クリップは、クリップ片が軸筒の軸心に対して垂直方向に平行移動できないため、比較的、厚い被挟持物を挟持する場合に、この被挟持物とクリップ片が部分的でしか接触することができないため、振動や衝撃により被挟持物が外れてしまう恐れがあった。
【０００７】
本発明の目的は、上述した従来の問題点に鑑み、薄い被挟持物と厚い被挟持物の両者を挟持可能で、振動や衝撃により被挟持物が容易に外れることがなく、クリップ片が破損し難い、クリップ部材を有する筆記具を提供することである。
【課題を解決するための手段】
【０００８】
上記課題を解決する為の本発明の技術的手段は、クリップ片に足部を別体で付設、あるいは一体に形成することにより、クリップ片と足部とを連動可能とし、該足部を軸筒の側面に形成した貫通孔に、軸筒の軸心に対して垂直方向に平行移動可能に挿入してなるクリップ部材を有する筆記具であって、前記足部内に、該足部の底部と軸筒内壁あるいは軸筒に付設したバネ受け部材との間に弾性体を圧縮した状態で配設することにより生ずる弾性力によって、クリップ片を軸心方向に常時付勢することを特徴とする。
【０００９】
また、前記クリップ部材が、前記クリップ片の側壁及び／又は該クリップ片の側壁に連続する前記足部の側壁に、滑り止め処理を施した把持部を有する。
【００１０】
また、前記把持部が、凹部及び／または凸部からなる。
【００１１】
また、前記把持部が、前記クリップ片の側壁及び／又は該クリップ片の側壁に連続する足部の側壁に装着したクリップ片より摩擦抵抗の高い滑り止め部材であることを特徴とする。
【００１２】
また、前記クリップ片の内壁が、対向する軸筒の外壁に線接触することを特徴とする。
【００１３】
また、前記クリップ片が、クリップ片の前端部と軸筒との間隙を設ける斜面あるいは曲面を形成し、前記クリップ片の先端に挿入口部を設ける。
【発明の効果】
【００１４】
本発明は、薄い被挟持物と厚い被挟持物の両者を挟持可能で、振動や衝撃により被挟持物が容易に外れることがなく、クリップ片が破損し難い、クリップ部材を有する筆記具を提供することができた。
【発明を実施するための最良の形態】
【００１５】
次に図面を参照しながら、本発明の筆記具の実施例を説明するが、本発明は以下の実施例に限定されるものではない。
【実施例１】
【００１６】
図１から図６に示す本発明の実施例１における、クリップ部材を有する筆記具１は、前軸２と後軸３を螺合した軸筒内に、ボールを回転自在に抱持したボールペンチップからなる筆記先端部１４を、インキ収容筒１３の先端部に装着した筆記体１２を、コイルスプリング１５により後軸後端３ａ方向に付勢して収納してあり、後軸後端３ａから突出したノック体６を前軸２の先端開口部２ａ側に押圧することより、ノック体６の先方に配設した押し棒５及び回転カム４が連動し、筆記先端部１４を前軸２の先端開口部２ａから出没可能なノック式の筆記具としてある。
【００１７】
後軸３の後端部にはクリップ部材７を付設してある。クリップ部材７は、クリップ片８と足部９を一体に形成し、後軸３の側面に形成した貫通孔３ｂに足部８を、軸心Ｊに対し垂直方向（支柱１１の軸心Ｋ方向）に平行移動可能に挿入する。また、この足部８内にバネ１６を配設する。バネ１６は、クリップ片８の挿通孔８ａを通過し、バネ１６の中空を貫通するように挿入する。同様にして、バネ１６の伸縮動作の補助を行う支柱１１を、支柱１１の先端を後軸３に形成した、筆記具の軸心Ｊに対して貫通孔３ｂと対面する嵌合孔３ｃに嵌合せして配設してある。
【００１８】
次に、バネ受け部材１０を、支柱１１を覆うようにクリップ片８の挿通孔８ａを通過し、さらに、バネ受け部材１０に形成した係止爪１０ａが後軸３の貫通孔３ｂを通過して後軸３内に係止させて付設する。この時、バネ１６が、クリップ片８の足部９の底段部９ａおよびバネ受け部材１０の内壁との間に圧縮した状態になるように配設する。このバネ１６を圧縮することによって発生する弾性力は、足部９の底段部９ａに対して、底段部９ａを押し下げる方向に発生し、足部９と一体となったクリップ片８を、筆記具の軸心Ｊ方向の垂直方向（図２、４の矢印Ａ方向）へと付勢する。
【００１９】
本発明のクリップ部材を有する筆記具の動作について説明する。クリップ片８を、クリップ片の底壁Ｓを把持し、筆記具の軸心Ｊに対して垂直方向に平行移動（図２、４の矢印Ａの反対方向）すると、クリップ片８と一体となった足部９も、支柱１１の軸心Ｋ方向に沿って、筆記具の軸心Ｊに対して垂直方向に平行移動する。その結果、足部９の底段部９ａも同時に筆記具の軸心Ｊに対して垂直方向に平行移動するので、バネ１６をさらに圧縮し、バネ１６による弾性力が向上し、筆記具の軸心Ｊ方向の垂直方向（図２、４の矢印Ａ方向）への付勢力が増加する。
【００２０】
前述した通り、バネ１６をクリップ片８の足部９の底段部９ａおよびバネ受け部材１０の内壁との間に圧縮した状態に配設することにより、常時、クリップ片８を筆記具の軸心Ｊ方向の垂直方向（図２、４の矢印Ａ方向）に付勢するとともに、クリップ部材７のクリップ片８が筆記具の軸心Ｊに対して垂直方向に平行移動すると、バネ１６による弾性力が増加し、より強い力で挟持することが可能となる。また、本発明のクリップ部材を有する筆記具は、クリップ部材７のクリップ片８が筆記具の軸心Ｊに対して垂直方向に平行移動するため、被挟持物（図示せず）に対してクリップ片８全体で挟持することができ、被挟持物とクリップ片８との摩擦力が増大し、従来のクリップ片よりも挟持力を増大することができる。
【００２１】
また、クリップ片８の先端に、後軸３の外壁との間隙を設ける斜面等を形成し、挿入口８ｂを設けることにより、被挟持物（図示せず）がクリップ片８に進入しやすくなるので好ましい。また、クリップ片８の内壁８ｃが、対向する後軸３の外壁に線接触するように配設することで、クリップ部材７のクリップ片８が筆記具の軸心Ｊに対して垂直方向に働いている付勢力によって、クリップ片８の内壁８ｃと被挟持物を、少なくとも線接触により挟持するので、薄手の被挟持物でも確実に挟持することができるので好ましい。
【実施例２】
【００２２】
図７に本発明の実施例２における、クリップ部材を有する筆記具２１の上面図を示す。後軸２３に配設したクリップ部材２７のクリップ片２８の側壁Ｓ１に、滑り止め処理として、凸部Ｔを設けた把持部H１を有している以外は、実施例１と同様にクリップ部材を有する筆記具２１を得ている。クリップ片２７の側壁Ｓ１に凸部Ｔを設けることにより、指にて凸部Ｔを保持した場合、凸部Ｔが指先にフィットするので、指が滑りにくくなり、クリップ片２８の操作を快適に行うことができる。また、凸部Ｔを形成することにより、美観の向上が見込まれる。
【実施例３】
【００２３】
図８に本発明の実施例３における、クリップ部材を有する筆記具３１の上面図を示す。後軸３３に配設したクリップ部材３７のクリップ片３８の側壁Ｓ２に、滑り止め処理として、クリップ片３８より摩擦抵抗の高い滑り止め部材Ｇを装着した把持部Ｈ２を設けた以外は、実施例１と同様にクリップ部材を有する筆記具３１を得ている。滑り止め部材Ｇとしては、天然ゴム、シリコーンゴム、熱可塑性エラストマーなどのゴム部材が挙げられる。滑り止め部材Ｇを採用することにより、指でクリップ片３８の側壁Ｓ２を把持した際に、滑り止めの効果を得ることができる。また、後軸３３やクリップ片３８と滑り止め部材Ｇの色を相違させた組合せにすることにより、美観の向上が見込まれるので好ましい。
【００２４】
クリップ片の側壁に行う滑り止め処理としては、前記した実施例に限るものでなく、梨地処理、多数の溝や小突起、凹凸部を形成すること等、指にて前記クリップ片の側壁を保持し、クリップ片を動かす際に、指が滑りにくくなる把持部構造を適宜選択して実施することができる。また、図示はしていないが、クリップ片の側壁に連続する足部の側壁に滑り止め処理を施してもよい。
【００２５】
また、本発明のクリップ部材を有する筆記具は、クリップ片の形状に限定されるものでなく、クリップ片の軸筒に対向する壁面に玉部を形成したり、外壁に装飾を施す等、適宜選択して実施することができる。
【産業上の利用可能性】
【００２６】
本発明のクリップ部材を有する筆記具は優れた性能を発揮し、ボールペン、マーカー、塗布具等、筆記具として広く利用可能であり、ノック式筆記具やキャップ式筆記具にも利用可能である。
【図面の簡単な説明】
【００２７】
【図１】実施例１のクリップ部材を有する筆記具を示す縦断面図である。
【図２】図１における、クリップ片を開いた状態の筆記具の縦断面図である。
【図３】図１における、一部省略した要部拡大縦断面図である。
【図４】図２における、一部省略した要部拡大縦断面図である。
【図５】図１における、上面図である。
【図６】図１における、組立行程を示す、一部省略した要部拡大縦断面図である。
【図７】実施例２のクリップ部材を有する筆記具を示す上面図である。
【図８】実施例３のクリップ部材を有する筆記具を示す上面図である。
【符号の説明】
【００２８】
１、２１、３１  クリップ部材を有する筆記具
２  前軸
２ａ  先端開口部
３、２３、３３  後軸
３ａ  後軸後端部
３ｂ  貫通孔
３ｃ  嵌合孔
４  回転カム
５  押し棒
６  ノック体
７、２７、３７  クリップ部材
８、２８、３８  クリップ片
８ａ  挿通孔
８ｂ  挿入口
９  足部
９ａ  底段部
１０  バネ受け部材
１１  支柱
１２  筆記体
１３  インキ収容筒
１４  筆記先端部
１５  コイルスプリング
１６  バネ
Ｔ  凸部
Ｇ  滑り止め部材
Ｓ、Ｓ１、Ｓ２  側壁
Ｊ  軸筒の軸心
Ｋ  支柱の軸心
【図１】
2006001150.tif 000003
【図２】
2006001150.tif 000004
【図３】
2006001150.tif 000005
【図４】
2006001150.tif 000006
【図５】
2006001150.tif 000007
【図６】
2006001150.tif 000008
【図７】
2006001150.tif 000009
【図８】
2006001150.tif 000010